(57)【要約】【課題】ラッピング用品を収納するとともに、少ないスペースで汎用的かつ効率的にラッピング作業を行うことができる新規なラッピング用作業台を提供する。【解決手段】前後に並設された２つのフリーローラ２２Ａ，２２Ｂからなるフィルムロール載せ部２１とその前のカッタ溝２７と押さえ部材２８を有する切断部２６とからなるフィルム切断作業部２０と、フィルム切断作業部２０の後部にフリーローラ２２Ａ，２２Ｂと平行方向に架設され、リボンＲを巻着したリボンボビンＢを着脱自在に回転保持する軸部３１からなるリボンホルダー部３０とを備えたことを特徴とする。【選択図】図１
0003145418.tif 000002
【実用新案登録請求の範囲】
【請求項１】
前後に並設された２つのフリーローラからなるフィルムロール載せ部とその前のカッタ溝と押さえ部材を有する切断部とからなるフィルム切断作業部と、
前記フィルム切断作業部の後部に前記フリーローラと平行方向に架設され、リボンを巻着したリボンボビンを着脱自在に回転保持する軸部からなるリボンホルダー部
とを備えたことを特徴とするラッピング用作業台。
【請求項２】
前記フィルム切断作業部に定規板が引き出し可能に収納されている請求項１に記載のラッピング用作業台。
【請求項３】
前記フィルム切断作業部の後部に前記フリーローラと平行方向に架設され、ガーランドを着脱自在に巻着保持する大径のフリーローラからなるガーランドホルダー部をさらに備えた請求項１又は２に記載のラッピング用作業台。
【請求項４】
造花ピックの脚部を挿入するために少なくとも上部が穴状に形成されたストロー状の造花ピックホルダー部をさらに備えた請求項１ないし３のいずれか１項に記載のラッピング用作業台。
【請求項５】
固定アームと可動アームとにひも状物を巻回して切断し一定長さのひも状物を多数本得ることができる定尺切断部をさらに備えた請求項１ないし４のいずれか１項に記載のラッピング用作業台。
【請求項６】
立設保持されたパイプにリボンを複数回巻着することができるリボン多重巻部をさらに備えた請求項１ないし５のいずれか１項に記載のラッピング用作業台。
【請求項７】
前記リボン多重巻部の前部に蓋板の穴部を介してワイヤが引き出されるワイヤ収容部をさらに備えた請求項６に記載のラッピング用作業台。
【考案の詳細な説明】
【技術分野】
【０００１】
本考案は、ラッピング用品を収納するとともにラッピング作業を行うことができるラッピング用作業台に関する。
【背景技術】
【０００２】
菓子や果物等の食品や衣類、雑貨等の様々な商品をラッピングする際には、包装紙やフィルム等を対応した大きさに切断する等して商品を包み、リボン等をかけて装飾される。このようなラッピング作業を行う場合は、通常、フィルムやカッター、リボン等のラッピング用品を机等の作業台やラック付きの作業台、あるいはその周辺に適宜配置して使用されている。
【０００３】
しかしながら、従来のラッピング作業においては、作業者が各自使いやすいように各種ラッピング用品を作業台の上やラック等に配置するため、特定の作業者にとって使いやすい環境であっても他の作業者にとっては使いにくくなったり、各種ラッピング用品が作業台やその周辺等に無造作に配置されて作業スペースが広くなる等、作業環境の汎用性が乏しく、作業効率も悪くなるおそれがあった。
【考案の開示】
【考案が解決しようとする課題】
【０００４】
本考案は前記の点に鑑みなされたものであり、ラッピング用品を収納するとともに、少ないスペースで汎用的かつ効率的にラッピング作業を行うことができる新規なラッピング用作業台を提供するものである。
【課題を解決するための手段】
【０００５】
すなわち、請求項１の考案は、前後に並設された２つのフリーローラからなるフィルムロール載せ部とその前のカッタ溝と押さえ部材を有する切断部とからなるフィルム切断作業部と、前記フィルム切断作業部の後部に前記フリーローラと平行方向に架設され、リボンを巻着したリボンボビンを着脱自在に回転保持する軸部からなるリボンホルダー部とを備えたことを特徴とするラッピング用作業台に係る。
【０００６】
請求項２の考案は、前記フィルム切断作業部に定規板が引き出し可能に収納されている請求項１に記載のラッピング用作業台に係る。
【０００７】
請求項３の考案は、前記フィルム切断作業部の後部に前記フリーローラと平行方向に架設され、ガーランドを着脱自在に巻着保持する大径のフリーローラからなるガーランドホルダー部をさらに備えた請求項１又は２に記載のラッピング用作業台に係る。
【０００８】
請求項４の考案は、造花ピックの脚部を挿入するために少なくとも上部が穴状に形成されたストロー状の造花ピックホルダー部をさらに備えた請求項１ないし３のいずれか１項に記載のラッピング用作業台に係る。
【０００９】
請求項５の考案は、固定アームと可動アームとにひも状物を巻回して切断し一定長さのひも状物を多数本得ることができる定尺切断部をさらに備えた請求項１ないし４のいずれか１項に記載のラッピング用作業台に係る。
【００１０】
請求項６の考案は、立設保持されたパイプにリボンを複数回巻着することができるリボン多重巻部をさらに備えた請求項１ないし５のいずれか１項に記載のラッピング用作業台に係る。
【００１１】
請求項７の考案は、前記リボン多重巻部の前部に蓋板の穴部を介してワイヤが引き出されるワイヤ収容部をさらに備えた請求項６に記載のラッピング用作業台に係る。
【考案の効果】
【００１２】
請求項１の考案に係るラッピング用作業台は、前後に並設された２つのフリーローラからなるフィルムロール載せ部とその前のカッタ溝と押さえ部材を有する切断部とからなるフィルム切断作業部と、前記フィルム切断作業部の後部に前記フリーローラと平行方向に架設され、リボンを巻着したリボンボビンを着脱自在に回転保持する軸部からなるリボンホルダー部とを備えたため、ラッピング用品を収納するとともに、少ないスペースで汎用的かつ効率的にラッピング作業を行うことができる。
【００１３】
請求項２の考案によれば、請求項１において、前記フィルム切断作業部に定規板が引き出し可能に収納されているため、フィルムの切断作業をより効率よくかつ効果的に行うことが可能となる。
【００１４】
請求項３の考案によれば、請求項１又は２において、前記フィルム切断作業部の後部に前記フリーローラと平行方向に架設され、ガーランドを着脱自在に巻着保持する大径のフリーローラからなるガーランドホルダー部をさらに備えたため、ガーランドを用いたラッピング作業を効率よく行うことができる。
【００１５】
請求項４の考案によれば、請求項１ないし３において、造花ピックの脚部を挿入するために少なくとも上部が穴状に形成されたストロー状の造花ピックホルダー部をさらに備えたため、造花ピックを用いたラッピング作業を効率よく行うことができる。
【００１６】
請求項５の考案によれば、請求項１ないし４において、固定アームと可動アームとにひも状物を巻回して切断し一定長さのひも状物を多数本得ることができる定尺切断部をさらに備えたため、多数の一定長さのひも状物を極めて容易かつ手早く得ることができる。
【００１７】
請求項６の考案によれば、請求項１ないし５において、立設保持されたパイプにリボンを複数回巻着することができるリボン多重巻部をさらに備えたため、多重巻された蝶結び状の装飾リボンを極めて容易かつ手早く形成することができる。
【００１８】
請求項７の考案によれば、請求項６において、前記リボン多重巻部の前部に蓋板の穴部を介してワイヤが引き出されるワイヤ収容部をさらに備えたため、前記装飾リボンの作成をより効率よく行うことができる。
【考案を実施するための最良の形態】
【００１９】
以下添付の図面に従ってこの考案を詳細に説明する。
図１は本考案の第一実施例に係るラッピング用作業台の斜視図、図２は図１のラッピング用作業台のフィルム切断作業部の斜視図、図３はフィルム切断作業部の要部断面図、図４は造花ピックホルダー部を備えたラッピング用作業台のガーランドホルダー部近傍の要部斜視図、図５はガーランドホルダー部の要部断面図、図６は造花ピックホルダー部の要部断面図、図７は第二実施例に係るラッピング用作業台の斜視図、図８は定尺切断部の斜視図、図９は定尺切断部の可動アームの斜視図、図１０はリボン多重巻部の斜視図、図１１はリボン多重巻部の２つのパイプにリボンを複数回巻着した例を表す正面図、図１２はワイヤ収容部の斜視図である。
【００２０】
図１に示す本考案の第一実施例に係るラッピング用作業台１０は、フィルム切断作業部２０と、リボンホルダー部３０とを備える。この図において、符号１１は基盤、１２，１３は基盤１１後部の両側端に立設された側板、１４は各側板１２，１３間に立設された中板、１５，１６，１７は中板１４と各側板１２，１３との間に架設された平板、１８，１９は平板１６に立設された仕切り板、７１は側板１３と仕切り板１８との間に配置された複数の筒状部材からなる工具入れ、７２は側板１３の外周側に配置された筒状部材からなる工具入れ、７３は仕切り板１８と仕切り板１９との間に配置されたセロハンテープカッター置き部、７３ａはセロハンテープカッター置き部７３に取り付けられたストッパ、７４，７５，７６は物置き部である。
【００２１】
フィルム切断作業部２０は、図１〜図３に示すように、前後に並設された２つのフリーローラ２２Ａ，２２Ｂからなるフィルムロール載せ部２１とその前のカッタ溝２７と押さえ部材２８を有する切断部２６とからなる。実施例では、基盤１１内に開口部２５を形成し、開口部２５内に２つの円柱状の軸部材２４Ａ，２４Ｂを前後に並設して、円筒部材２３Ａ，２３Ｂを前記軸部材２４Ａ，２４Ｂにそれぞれ嵌挿することによってフリーローラ２２Ａ，２２Ｂが構成されている。また、押さえ部材２８は、一端が固設された板状部材によって構成されたものであり、公知の定規等を用いることができる。なお、図２，３において、符号Ｆは薄くて透明なフィルムＦ１のフィルムロールである。
【００２２】
また、このフィルム切断作業部２０には、図２，３に示すように、定規板４０が引き出し可能に収納されている。図２において、符号４１は目盛りや方眼等が設けられた盤面４１、４２は定規板４０の前面板、４３は盤面の両側方に配置されるように前面板４２に取り付けられ引き出し時に定規板４０のがたつきを抑制する支持部材、４５は定規板４０の盤面４３を引き出し及び収納可能な収納開口部４４が形成された前枠板である。
【００２３】
上記フィルム切断作業部２０では、まず定規板４０が引き出されて、フリーローラ２２Ａ，２２Ｂとの間にフィルムロールＦが載置される。次いで、フィルムロールＦからフィルムＦ１を引き出す際には、フリーローラ２２Ａ，２２ＢがそれぞれフィルムＦ１の引き出し方向（図３の例では左方向）に合わせて回転（図３の例では反時計回り）し、所望する長さのフィルムＦ１をスムーズに引き出すことができる。そして、定規板４０の目盛りに沿って所望する長さのフィルムＦ１が引き出された後、押さえ部材２８によってフィルムＦ１が固定されて、カッタ溝２７に沿ってカッターナイフ等を用いてフィルムＦ１が切断される。これにより、特に、薄くて透明なフィルムＦ１を定寸できれいに手早く切断することができるとともに、静電気によるゴミの付着を抑制することができる。また、図示のように、押さえ部材２８とフィルムＦ１の切断位置であるカッタ溝２７との間にはわずかに間隔を設けるように構成されていることにより、フィルムＦ１の切断後にフィルムロールＦの切断端部が押さえ部材２８から突出した状態となり、次のフィルムの引き出しを容易に行うことができる。
【００２４】
リボンホルダー部３０は、フィルム切断作業部２０の後部にフリーローラ２２Ａ，２２Ｂと平行方向に架設され、リボンＲを巻着したリボンボビンＢを着脱自在に回転保持する軸部３１からなる。実施例では、軸部３１が中板１４と側板１２との間にそれぞれを貫通して架設され、中板１４と側板１２の両側から固定部材３２によって着脱自在に固定されている。そして、中板１４側あるいは側板１２側のいずれか一方の固定部材を外して軸部３１を一側に引き抜くことにより、リボンボビンＢを軸部３１に容易に嵌挿することができる。また、リボンホルダー部３０には、軸部３１の上方に２つの棒状部材３３，３４が所定間隔で並設されており、予備のリボン（Ｒ１，Ｒ２）を保管することができる。
【００２５】
このラッピング用作業台１０は、図１，４，５に示すように、フィルム切断作業部２０の後部にフリーローラ２２Ａ，２２Ｂと平行方向に架設され、ガーランドＧを着脱自在に巻着保持する大径のフリーローラ５１からなるガーランドホルダー部５０をさらに備えている。実施例において、大径のフリーローラ５１は、中板１４と側板１３との間に軸部材５３を架設して、円筒部材５２を前記軸部材５３に嵌挿することによって形成される。図において、符号５５はガーランドホルダー部５０の底盤、５６はガーランドホルダー部５０の前枠板である。
【００２６】
このガーランドホルダー部５０では、図４，５に示すように、フリーローラ５１に巻着保持されたガーランドの両側にストッパリング５４，５４を着脱自在に配置することが好ましい。これにより、巻着保持されたガーランドＧが無造作に広がることを抑制することができる。また、図１，２に示すように、ガーランドホルダー部５０の前部側には巻き尺７０が収納されており、フリーローラ５１に巻着されているガーランドＧを引き延ばした際に巻き尺７０を引き出すことによって、ガーランドＧを定寸できれいに手早く切断することができる。なお、この巻き尺７０は、ストッパ機能を有することが好ましい。
【００２７】
加えて、このラッピング用作業台１０は、図４，６に示すように、造花ピックＰの脚部Ｐ１を挿入するために少なくとも上部が穴状に形成されたストロー状の造花ピックホルダー部６０をさらに備えている。実施例の造花ピックホルダー部６０は、ガーランドホルダー部５０の前部に配置され、平板状の土台６１に複数（この例では３つ）のストロー状ホルダー部材６２，６２，６２が立設されたものである。この造花ピックホルダー部６０では、造花ピックＰの脚部Ｐ１がストロー状ホルダー部材６２に挿入され、蝶結び状の装飾リボンＤがストロー状ホルダー部材６２に仮止めされた後、造花ピックがストロー状ホルダー部材６２から引き上げられてその脚部Ｐ１に仮止め状態の装飾リボンＤを引き上げて本止めされる。このように、造花ピックホルダー部６０を備えたことにより、造花ピックＰを用いたラッピング作業を効率よく行うことができる。
【００２８】
また、このラッピング用作業台１０は、図１に示すように、側板１２，１３に開閉式棒状保持部７７，７８を備えている。開閉式棒状保持部７７，７８は、それぞれ複数（この例では３本ずつ）の棒状部材が個別に開閉可能に構成され、定寸に切断したリボンやガーランド等を一時的に保持することができる。これにより、定寸に切断した複数のリボンやガーランド等をあらかじめ手元に用意することが可能となり、作業効率が向上する。
【００２９】
次に、図７〜図１２を用いて、第二実施例に係るラッピング用作業台１００について説明する。このラッピング用作業台１００は、定尺切断部１１０と、リボン多重巻部１２０と、ワイヤ収容部１３０を備える。図において、符号３０Ａは中板１４と側板１２との間のリボンホルダー部３０の上部側に平行に架設された第２リボンホルダー部、３０Ｂは中板１４と側板１３との間にフリーローラ２２Ａ，２２Ｂと平行方向に架設された第３リボンホルダー部、５０Ａは中板１４と側板１３との間の第３リボンホルダー部の上部側に平行に架設されたガーランドホルダー部、Ｒ３は第３リボンホルダー部３０Ｂに回転保持されたリボン、Ｗは針金等からなるワイヤである。なお、以下の説明において、前述のラッピング用作業第１０と同一の符号は同一の構成を表すものとして、その説明を省略する。
【００３０】
定尺切断部１１０は、図７〜図９に示すように、固定アーム１１１と可動アーム１１２とにひも状物Ｓを巻回して切断し一定長さのひも状物を多数本得ることができるように構成される。図７〜図９において、符号１１７は側板１２，１３間に架設された平板、１１８は平板１１７の前側上端部に設けられたレール部材、１１９はレール部材１１８に対して平行に配置された定規、Ｓ１は固定アームと可動アームとに巻回されるリボン等からなる幅広のひも状物、Ｓ２は固定アームと可動アームとに巻回されるワイヤ等からなる細長いひも状物を表す。
【００３１】
定尺切断部１１０の可動アーム１１２は、レール部材１１８に沿って固定アーム１１１に対して近接または離間自在に摺動可能とされ、固定アーム１１１と反対側の側面にひも状物Ｓの端部を差し込んで固定するための差込部１１３を有している。この差込部１１３は、図９に示すように、幅広のひも状物Ｓ１が差し込まれる溝状の差込部１１３Ａと、細長いひも状物Ｓ２が差し込まれる穴状の差込部１１３Ｂとからなる。なお、可動アーム１１２は、レール部材１１８の適宜の位置で固定可能とされる。また、図示しないが、固定アーム１１１の可動アーム１１２と反対側の側面に、可動アーム１１２の差込部１１３と同様の差込部を形成してもよい。
【００３２】
この定尺切断部１１０では、まず、可動アーム１１２をレール部材１１８に沿って移動して、定規１１９の目盛りを参照して固定アーム１１１に対して所望する距離となる位置で固定する。次いで、ひも状物Ｓの端部を差込部１１３に差し込んで固定するとともに、固定アーム１１１と可動アーム１１２とに巻回する。そして、公知のはさみ等を用いて、巻回したひも状物Ｓを任意の位置で切断することにより、固定アーム１１１と可動アーム１１２距離に応じた多数の一定長さのひも状物Ｓを極めて容易かつ手早く得ることができる。
【００３３】
リボン多重巻部１２０は、図７，１０，１１に示すように、立設保持されたパイプ（１２１，１２２，１２３）にリボン（Ｄ４，Ｒ６）を複数回巻着することができるように構成される。実施例のリボン多重巻部１２０は、第３リボンホルダー部３０Ｂの前側に配置されている。
【００３４】
このリボン多重巻部１２０では、図１０に示すように、１つのパイプ１２１に適宜のリボンＲ４を複数回巻着して、多重巻された蝶結び状の装飾リボンＤ１を作ることができる。その際、装飾リボンＤ１の結び目Ｄ１ａとなる部分に、第３リボンホルダー部３０Ｂに回転保持されたリボンＲ３等から引き出されたリボンＲ５を挿通させて装飾リボンＤ１を形成することにより、補助リボンを有する装飾リボンＤ１を極めて容易かつ手早く作ることができる。特に、装飾リボンＤ１とリボンＲ５とを異なる色にすれば、意匠性を容易に高めることができる。
【００３５】
また、このリボン多重巻部１２０にあっては、図１１に示すように、２つのパイプ１２２，１２３に適宜のリボンＲ６を複数回巻着して、多重巻された蝶結び状の装飾リボンＤ２を作ることも可能である。この場合、リボンＲ６を各パイプ１２２，１２３に所望する回数巻き付けて適宜切断し、針金等のワイヤＷ１を用いて各パイプ１２２，１２３の略中央部分を結ぶことにより、多重巻された蝶結び状の装飾リボンＤ２を極めて容易かつ手早く作ることができる。
【００３６】
なお、リボン多重巻部１２０では、複数のパイプ１２１，１２２，１２３がそれぞれ異なる直径で形成され、前述した造花ピックホルダー部６０として用いることができる。その際、造花ピックＰの脚部Ｐ１の直径に応じて各パイプ１２１，１２２，１２３が選択して使用される。
【００３７】
ワイヤ収容部１３０は、図７，図１２に示すように、リボン多重巻部１２０の前部に蓋板１３１の穴部１３２を介してワイヤＷが引き出されるように構成される。実施例のワイヤ収容部１３０は、リボン多重巻部１２０の前部にワイヤＷのロールＷＲを収容可能な収容空間１３３を有し、蓋板１３１がヒンジ部材１３４を介して収容空間１３３を開閉するように構成される。これにより、前記リボン多重巻部１２０で装飾リボンＤ２等に使用するワイヤＷ１をあらかじめ手元に用意することが可能となり、装飾リボンＤ２等の作成をより効率よく行うことができる。
【００３８】
また、このワイヤ収容部１３０では、穴部１３２にリボン多重巻部１２０パイプ１２１を立設することができる。これにより、リボン多重巻部１２０の作業空間を確保することができ、作業効率を向上させることができる。さらに、図示しないが、収容空間１３３には、前記ラッピング用作業台１０と同様に前側方向に引き出し可能な巻き尺７０を収容することができ、この巻き尺７０を引き出すことによって、ワイヤＷを定寸で手早く切断することができる。
【００３９】
なお、本考案のラッピング用作業台は、前述の実施例のみに限定されるものではなく、考案の趣旨を逸脱しない範囲において構成の一部を適宜に変更して実施することができる。例えば、フィルム切断作業部で切断するものとしては、薄くて透明なフィルムの他に公知の包装紙であっても構わない。
【００４０】
また、実施例では、フィルムＦ１を切断する際にフィルムロールＦをフリーローラ２２Ａ，２２Ｂとの間に載置したが、これに限らず、フリーローラ２２Ａと開口部２５あるいはフリーローラ２２Ｂと開口部２５との間に載置してもよい。
【図面の簡単な説明】
【００４１】
【図１】本考案の第一実施例に係るラッピング用作業台の斜視図である。
【図２】図１のラッピング用作業台のフィルム切断作業部の斜視図である。
【図３】フィルム切断作業部の要部断面図である。
【図４】造花ピックホルダー部を備えたラッピング用作業台のガーランドホルダー部近傍の要部斜視図である。
【図５】ガーランドホルダー部の要部断面図である。
【図６】造花ピックホルダー部の要部断面図である。
【図７】第二実施例に係るラッピング用作業台の斜視図である。
【図８】定尺切断部の斜視図である。
【図９】定尺切断部の可動アームの斜視図である。
【図１０】リボン多重巻部の斜視図である。
【図１１】リボン多重巻部の２つのパイプにリボンを複数回巻着した例を表す正面図である。
【図１２】ワイヤ収容部の斜視図である。
【符号の説明】
【００４２】
１０  ラッピング用作業台
２０  フィルム切断作業部
２１  フィルムロール載せ部
２２Ａ，２２Ｂ  フリーローラ
２６  切断部
２７  カッタ溝
２８  押さえ部材
３０  リボンホルダー部
３１  軸部
Ｂ    リボンボビン
Ｒ    リボン
【図１】
0003145418.tif 000003
【図２】
0003145418.tif 000004
【図３】
0003145418.tif 000005
【図４】
0003145418.tif 000006
【図５】
0003145418.tif 000007
【図６】
0003145418.tif 000008
【図７】
0003145418.tif 000009
【図８】
0003145418.tif 000010
【図９】
0003145418.tif 000011
【図１０】
0003145418.tif 000012
【図１１】
0003145418.tif 000013
【図１２】
0003145418.tif 000014